(57)【要約】   【課題】  フラッドヘッド方式とスルーリード方式を兼ね備えているにもかかわらず、速やかに画像データの読取りを開始した上で、尚且つ、紙幣や有価証券等の偽造を防止可能な画像処理装置を提供する。  【解決手段】  自動原稿送り機構で原稿を移動させながら読取る第１原稿読取モードと、原稿台上に載置された原稿に対して光学系を走査して読取る第２原稿読取モードの何れかのモードで原稿画像を読取る画像読取手段３と、読取られたデータを一時格納するラインバッファ２３と、ラインバッファ２３から読出したデータとパターン辞書データに基づいて原稿画像が特定原稿画像であるか否かを識別する原稿画像識別手段２５を備えてなる画像処理装置であって、原稿読取モードに応じてラインバッファ２３へのデータの書込み方向または前記ラインバッファ２３からのデータの読出し方向を切替えるアクセス制御手段２６を備える。  【選択図】  図１
2007036917.tif 000002
【特許請求の範囲】
【請求項１】
自動原稿送り機構で原稿を移動させながら読み取る第１の原稿読取モードと、原稿台上に載置された原稿に対して光学系を走査して読み取る第２の原稿読取モードの何れかのモードで原稿画像を読み取る画像読取手段と、前記画像読取手段により読み取られた画像データを一時格納するラインバッファと、前記ラインバッファから読み出した画像データと所定のパターン辞書データに基づいて前記原稿画像が特定原稿画像であるか否かを識別する原稿画像識別手段を備えてなる画像処理装置であって、
前記原稿読取手段による原稿読取モードに応じて前記ラインバッファへのデータの書き込み方向または前記ラインバッファからのデータの読み出し方向を切り替えるアクセス制御手段を備えている画像処理装置。
【発明の詳細な説明】
【技術分野】
【０００１】
本発明は、自動原稿送り機構で原稿を移動させながら読み取る第１の原稿読取モードと、原稿台上に載置された原稿に対して光学系を走査して読み取る第２の原稿読取モードの何れかのモードで原稿画像を読み取る画像読取手段と、前記画像読取手段により読み取られた画像データを一時格納するラインバッファと、前記ラインバッファから読み出した画像データと所定のパターン辞書データに基づいて前記原稿画像が特定原稿画像であるか否かを識別する原稿画像識別手段を備えてなる画像処理装置に関する。
【背景技術】
【０００２】
近年、カラー複写機等の画像処理装置は、紙幣や有価証券等を偽造可能な程にその性能が向上している。そこで、前記カラー複写機による紙幣や有価証券等の偽造を防止すべく、前記カラー複写機は、予め紙幣や有価証券等に含まれる特定画像や特定の繰り返しパターンが記憶されたパターン辞書データと、前記パターン辞書データに基づいて前記原稿画像が紙幣や有価証券等の特定原稿画像であるか否かを識別する原稿画像識別手段を備え、前記原稿画像識別手段により前記原稿画像が特別原稿画像であると識別されたときには、前記原稿画像の複写を禁止するように構成されている。
【０００３】
ここで、前記カラー複写機は、原稿画像を画像データとして読み取る方式として、当該カラー複写機における原稿載置台（プラテン）に原稿を載置し、図８（ａ）に示すように、前記原稿に対して光学系を走査することで、静止している原稿の原稿画像を画像データとして読み取るフラッドヘッド方式と、図８（ｂ）に示すように、自動原稿送り機構により原稿を搬送しながら、前記原稿の原稿画像を画像データとして読み取るスルーリード方式を兼ね備えている。しかし、前記フラッドヘッド方式とスルーリード方式とでは、図８（ｃ）に示すように、原稿画像の読み出し位置が左右逆となるため、例えば、フラッドヘッド方式で読み取った画像データを正像とすると、スルーリード方式で読み取った画像データは鏡像となる。
【０００４】
このため、画像データが正像または鏡像の何れであっても、紙幣や有価証券等の偽造を防止可能とするために、例えば、特許文献１に示すように、正像に対応したパターン辞書データと、鏡像に対応したパターン辞書データを備え、原稿画像を画像データとして読み取る際に、前記読み取り方式に応じたパターン辞書データを選択して読み出していた。
【特許文献１】特開２００４−２７４６９７号公報
【特許文献２】特開平７−１２３２５４号公報
【発明の開示】
【発明が解決しようとする課題】
【０００５】
しかし、上述した従来技術では、画像データの読み取り開始時に、前記読み取り方式に応じたパターン辞書データを選択して読み出すといった処理が必要となり、結果として、画像データの読み取りに多くの時間を費やしてしまうことが問題となっていた。
【０００６】
本発明は、上述の従来欠点に鑑み、フラッドヘッド方式とスルーリード方式を兼ね備えているにもかかわらず、速やかに画像データの読み取りを開始した上で、尚且つ、紙幣や有価証券等の偽造を防止可能な画像処理装置を提供する点にある。
【課題を解決するための手段】
【０００７】
上述の目的を達成するため、本発明による画像処理装置の第一の特徴構成は、特許請求の範囲の書類の請求項１に記載した通り、自動原稿送り機構で原稿を移動させながら読み取る第１の原稿読取モードと、原稿台上に載置された原稿に対して光学系を走査して読み取る第２の原稿読取モードの何れかのモードで原稿画像を読み取る画像読取手段と、前記画像読取手段により読み取られた画像データを一時格納するラインバッファと、前記ラインバッファから読み出した画像データと所定のパターン辞書データに基づいて前記原稿画像が特定原稿画像であるか否かを識別する原稿画像識別手段を備えてなる画像処理装置であって、前記原稿読取手段による原稿読取モードに応じて前記ラインバッファへのデータの書き込み方向または前記ラインバッファからのデータの読み出し方向を切り替えるアクセス制御手段を備えている点にある。
【０００８】
上述の構成によれば、アクセス制御手段が原稿読取モードに応じてラインバッファへのデータの書き込み方向または前記ラインバッファからのデータの読み出し方向を切り替えるため、フラッドヘッド方式とスルーリード方式のように、第１の原稿読取モードと第２の原稿読取モードで原稿画像の読み出し位置が左右逆であっても、前記ラインバッファに一時格納された後に読み出された画像データの配列を、ともに等しくすることができるのである。つまり、前記ラインバッファに一時格納された後に読み出された画像データの配列を、例えば、ともに正像とすれば、前記パターン辞書データは、正像に対応したパターン辞書データのみが予め記憶されていればよく、画像データの読み取り開始の都度、前記原稿読取モードに応じたパターン辞書データを選択して読み出すといった処理が不必要となり、速やかに画像データの読み取りを開始することができるのである。
【発明の効果】
【０００９】
以上説明した通り、本発明によれば、フラッドヘッド方式とスルーリード方式を兼ね備えているにもかかわらず、速やかに画像データの読み取りを開始した上で、尚且つ、紙幣や有価証券等の偽造を防止可能な画像処理装置を提供することができるようになった。
【発明を実施するための最良の形態】
【００１０】
以下、本発明による画像処理装置をデジタル複写機１に適用した場合の第一の実施形態について説明する。前記デジタル複写機１は、図２に示すように、各種の複写モードを設定する複写モード設定キーや設定された複写モードで複写動作を起動するプリントキーなどが配置された操作パネル部２と、原稿載置部にセットされた一連の原稿における原稿画像を順次画像データとして読み込む画像読取手段３と、前記画像読取手段３に読み取られた画像データに所定の処理を施し、前記操作パネル部２を介したジョブリクエストに基づいてドキュメントデータを生成する画像データ処理手段４と、前記画像データ処理手段４により生成されたドキュメントデータに基づいてプリント用紙上にトナー像を形成してプリント出力する電子写真方式の画像形成手段５と、それぞれ異なるサイズまたは種類のプリント用紙が収容された複数の給紙カセット６（６ａ〜６ｄ）を備えて構成されている。
【００１１】
前記画像読取手段３は、図３に示すように、原稿１３が載置される原稿トレイ１１と、同じく原稿１３が載置される原稿載置部１２と、前記原稿トレイ１１に載置された原稿１３を搬送する自動原稿送り機構１４と、原稿１３の原稿画像を画像データとして読み取る光学系としてのラインＣＣＤ１７を備え、原稿１３が前記原稿トレイ１１に載置されたときに、前記自動原稿送り機構１４で原稿１３を移動させながら画像データを読み取る第１の原稿読取モードとしてのスルーリード方式で、前記自動原稿送り機構１４により移動される原稿１３の原稿画像を画像データとして読み取るように、また、原稿１３が前記原稿載置部１２に載置されたときに、前記原稿載置部１２に載置された原稿１３に対して前記ラインＣＣＤ１７を走査して画像データを読み取る第２の原稿読取モードとしてのフラッドヘッド方式で、前記原稿載置部１２に載置された原稿１３の原稿画像を画像データとして読み取るように構成されている。尚、前記自動原稿送り機構１４は、原稿１３の原稿画像を画像データとして読み取る画像読取位置まで搬送する大径の搬送ローラ１５と、前記大径の搬送ローラ１５の周囲に配置された原稿１３の搬送を補助するための小径の搬送ローラ１６と、画像データが読み取られた原稿１３を排出する排出ローラ１８と、前記排出された原稿１３を載置する原稿排紙トレイ２０を備えて構成されている。
【００１２】
前記画像データ処理手段４は、図１に示すように、前記画像読取手段３により読み取られたＲ成分、Ｇ成分、Ｂ成分のアナログ画像データをそれぞれデジタル画像データに変換するＡ／Ｄ変換器２１と、前記変換された各色成分のデジタル画像データに対してシェーディング補正等の入力補正を行う入力画像補正手段２２と、前記入力補正された前記各色成分のデジタル画像データを一時格納するラインバッファ２３と、前記原稿読取手段３による原稿読取モードに応じて前記ラインバッファ２３からの前記デジタル画像データの読み出し方向を切り替えるアクセス制御手段２６と、前記ラインバッファ２３に一時格納されたデジタル画像データを読み出して、前記操作パネル部２を介したユーザからのジョブリクエストに基づいてドキュメントデータを生成するとともに、前記生成したドキュメントデータを前記画像形成手段５に出力する画像処理手段２４と、同じく前記ラインバッファ２３に一時格納されたデジタル画像データを読み出して、所定のパターン辞書データに基づいて前記デジタル画像データが特定原稿画像に基づいた画像データであるか否かを識別し、前記画像データが前記特定原稿画像に基づいた画像データであると識別されたときに、前記デジタル画像データに基づいたドキュメントデータの生成や出力等を禁止する原稿画像識別手段２５を備えて構成されている。
【００１３】
前記ラインバッファ２３は、図４に示すように、各色成分、つまり、Ｒ成分、Ｇ成分、Ｂ成分のデジタル画像データに対応して、前記ＣＣＤラインセンサの１走査ライン分のデジタル画像データを書き込み可能な走査ラインバッファを２組ずつ備えた構成となっている。つまり、前記ラインバッファ２３は、前記Ｒ成分のデジタル画像データを１走査ライン分書き込み可能なＲ用走査ラインバッファ０１ｒ、０２ｒと、前記Ｇ成分のデジタル画像データを１走査ライン分書き込み可能なＧ用走査ラインバッファ０１ｇ、０２ｇと、前記Ｂ成分のデジタル画像データを１走査ライン分書き込み可能なＢ用走査ラインバッファ０１ｂ、０２ｂが備えられ、図５に示すように、例えば、ライン同期信号ＳＬに基づいて、前記各色成分の走査ラインバッファの一方、例えば、前記Ｒ用走査ラインバッファ０１ｒ、前記Ｇ用走査ラインバッファ０１ｇ、前記Ｂ用走査ラインバッファ０１ｂに１走査ライン分のデジタル画像データが書き込まれると、他方の走査ラインバッファ、つまり、前記Ｒ用走査ラインバッファ０２ｒ、前記Ｇ用走査ラインバッファ０２ｇ、前記Ｂ用走査ラインバッファ０２ｂに、次の１走査ライン分のデジタル画像データが書き込まれるとともに、先に書き込まれた走査ラインバッファ、つまり、前記Ｒ用走査ラインバッファ０１ｒ、前記Ｇ用走査ラインバッファ０１ｇ、前記Ｂ用走査ラインバッファ０１ｂのデジタル画像データが読み出されるように構成されている。尚、前記各走査ラインバッファは、前記デジタル画像データの書き込み方向が予め定められている。また、前記デジタル画像データを書き込む走査ラインバッファ、または、前記デジタル画像データが読み出される走査ラインバッファの選択は、例えば、前記ライン同期信号ＳＬに基づいて、それぞれ、書込み切替スイッチＳａ１、Ｓａ２、Ｓａ３、読出し切替スイッチＳｂ１、Ｓｂ２、Ｓｂ３等により制御することができる。
【００１４】
前記アクセス制御手段２６は、前記画像処理手段２４及び原稿画像識別手段２５が、前記ラインバッファ２３から前記デジタル画像データを読み出す際に、前記原稿読取モードに応じて、その読み出し方向を切り替えるもので、例えば、前記読み出し方向を切り替える方向切替スイッチＳｃ１、Ｓｃ２、Ｓｃ３、Ｓｃ４、Ｓｃ５、Ｓｃ６を備え、前記方向切替スイッチＳｃ１、Ｓｃ２、Ｓｃ３、Ｓｃ４、Ｓｃ５、Ｓｃ６により、前記デジタル画像データの読み出し方向が、前記スルーリード方式のときに、前記デジタル画像データの書き込み方向と同一方向になるように、また、前記フラッドヘッド方式のときに、前記デジタル画像データの書き込み方向と逆方向となるように切り替えるように構成されている。つまり、前記アクセス制御手段２６は、前記画像処理手段２４及び原稿画像識別手段２５が、前記ラインバッファ２３から前記デジタル画像データを読み出す際に、前記原稿読取モードにかかわらず同一のデジタル画像データ配列として前記デジタル画像データを読み出すことが可能なように構成されている。
【００１５】
以下、前記画像データ処理手段４の動作について図６のフローチャートに基づいて説明する。原稿画像が前記画像読取手段３によりＲ成分、Ｇ成分、Ｂ成分のアナログ画像データとして読み取られると（ＳＡ１）、前記Ａ／Ｄ変換器２１は、順次読み取られ入力されてくる前記各色成分のアナログ画像データをそれぞれデジタル画像データに順次変換する（ＳＡ２）。また、前記入力画像補正手段２２は、前記変換された各色成分のデジタル画像データに対してシェーディング補正等の入力補正を行う（ＳＡ３）。
【００１６】
前記シェーディング補正された各色成分のデジタル画像データは、前記ライン同期信号に基づいて前記ラインバッファ２３に一時格納された後、前記画像処理手段２４及び原稿画像識別手段２５によって読み出される。
【００１７】
つまり、前記シェーディング補正された各色成分のデジタル画像データは、前記ライン同期信号に基づいて、前記色成分毎に対応して２組ずつ備えられている一方の前記走査ラインバッファ、例えば、前記Ｒ用走査ラインバッファ０１ｒ、前記Ｇ用走査ラインバッファ０１ｇ、前記Ｂ用走査ラインバッファ０１ｂに、予め定められた書き込み方向に従って順次書き込まれ、次に、他方の前記走査ラインバッファ、例えば、前記Ｒ用走査ラインバッファ０２ｒ、前記Ｇ用走査ラインバッファ０２ｇ、前記Ｂ用走査ラインバッファ０２ｂに、予め定められた書き込み方向に従って順次書き込まれる（ＳＡ４）。
【００１８】
前記アクセス制御手段２６は、前記走査ラインバッファに書き込まれたデジタル画像データが前記スルーリード方式で読み込まれていたときには（ＳＡ５）、前記画像処理手段２４及び原稿画像識別手段２５による前記デジタル画像データの読み出し方向が、例えば、前記デジタル画像データの書き込み方向と同一方向となるように、前記方向切替スイッチＳｃ１、Ｓｃ２、Ｓｃ３、Ｓｃ４、Ｓｃ５、Ｓｃ６を切り替え（ＳＡ６）、また、前記フラッドヘッド方式で読み込まれていたときには（ＳＡ５）、前記画像処理手段２４及び原稿画像識別手段２５による前記デジタル画像データの読み出し方向が、前記デジタル画像データの書き込み方向と逆方向となるように前記方向切替スイッチＳｃ１、Ｓｃ２、Ｓｃ３、Ｓｃ４、Ｓｃ５、Ｓｃ６を切り替える（ＳＡ７）。
【００１９】
そして、前記画像処理手段２４及び原稿画像識別手段２５は、前記ライン同期信号に基づいて、前記色成分毎に対応して２組ずつ備えられている前記走査ラインバッファのうち、前記デジタル画像データの書き込みが終了した走査ラインバッファから、前記アクセス制御手段２６により切り替えられた読み出し方向に従って、前記デジタル画像データを順次読み出す（ＳＡ８）。
【００２０】
前記走査ラインバッファの何れにおいても前記デジタル画像データが空になると（ＳＡ９）、前記原稿画像識別手段２５は、前記ラインバッファ２３から読み出したデジタル画像データが、紙幣や有価証券等の特定原稿画像に基づいた画像データであるか否かを、予め紙幣や有価証券等に含まれる特定画像や特定の繰り返しパターンが記憶された前記パターン辞書データに基づいて識別する。
【００２１】
そして、前記原稿画像識別手段２５は、前記ラインバッファ２３から読み出したデジタル画像データが、前記特定原稿画像に基づいた画像データでないと識別すると（ＳＡ１０）、前記画像処理手段２４による前記デジタル画像データに基づいたドキュメントデータの生成や出力等を許容する。つまり、前記画像処理手段２４は、前記読み出したデジタル画像データと前記操作パネル部２を介したユーザからのジョブリクエストに基づいてドキュメントデータを生成するとともに（ＳＡ１１）、前記生成したドキュメントデータを前記画像形成手段５に出力する（ＳＡ１２）。
【００２２】
また、前記原稿画像識別手段２５は、前記ラインバッファ２３から読み出したデジタル画像データが、前記特定原稿画像に基づいた画像データでないと識別すると（ＳＡ１０）、前記画像処理手段２４による前記デジタル画像データに基づいたドキュメントデータの生成や出力等を禁止する。
【００２３】
以下、別の実施形態について説明する。上述の実施形態では、前記ラインバッファ２３への前記デジタル画像データの書き込み方向を予め設定しておき、前記アクセス制御手段２６が、前記画像処理手段２４及び原稿画像識別手段２５による前記ラインバッファ２３からの前記デジタル画像データの読み出し方向を前記原稿読取モードに応じて切り替える構成について説明したが、前記画像処理手段２４及び原稿画像識別手段２５による前記ラインバッファ２３からの前記デジタル画像データの読み出し方向を予め設定しておき、前記アクセス制御手段２６が、前記ラインバッファ２３への前記デジタル画像データの書き込み方向を前記原稿読取モードに応じて切り替える構成としてもよい。尚、以下便宜上、前記ラインバッファ２３をラインバッファ３３として、また、前記アクセス制御手段２６をアクセス制御手段３６として、符号を代えて説明する。
【００２４】
前記ラインバッファ３３は、図７に示すように、各色成分、つまり、Ｒ成分、Ｇ成分、Ｂ成分のデジタル画像データに対応して、前記ＣＣＤラインセンサの１走査ライン分のデジタル画像データを書き込み可能な走査ラインバッファを２組ずつ備えた構成となっている。つまり、前記ラインバッファ３３は、前記Ｒ成分のデジタル画像データを１走査ライン分書き込み可能なＲ用走査ラインバッファ０３ｒ、０４ｒと、前記Ｇ成分のデジタル画像データを１走査ライン分書き込み可能なＧ用走査ラインバッファ０３ｇ、０４ｇと、前記Ｂ成分のデジタル画像データを１走査ライン分書き込み可能なＢ用走査ラインバッファ０３ｂ、０４ｂが備えられ、例えば、前記ライン同期信号ＳＬに基づいて、前記各色成分の走査ラインバッファの一方、例えば、前記Ｒ用走査ラインバッファ０３ｒ、前記Ｇ用走査ラインバッファ０３ｇ、前記Ｂ用走査ラインバッファ０３ｂに１走査分のデジタル画像データが書き込まれると、他方の走査ラインバッファ、つまり、前記Ｒ用走査ラインバッファ０４ｒ、前記Ｇ用走査ラインバッファ０４ｇ、前記Ｂ用走査ラインバッファ０４ｂに、次の１走査分のデジタル画像データが書き込まれるとともに、先に書き込まれた走査ラインバッファ、つまり、前記Ｒ用走査ラインバッファ０３ｒ、前記Ｇ用走査ラインバッファ０３ｇ、前記Ｂ用走査ラインバッファ０３ｂのデジタル画像データが読み出されるように構成されている。尚、前記各走査ラインバッファは、前記画像処理手段２４及び原稿画像識別手段２５による前記デジタル画像データの読み出し方向が予め定められている。また、前記デジタル画像データを書き込む走査ラインバッファ、または、前記デジタル画像データが読み出される走査ラインバッファの選択は、例えば、前記ライン同期信号ＳＬに基づいて、それぞれ、書込み切替スイッチＳｄ１、Ｓｄ２、Ｓｄ３、読出し切替スイッチＳｅ１、Ｓｅ２、Ｓｅ３等により制御することができる。
【００２５】
前記アクセス制御手段３６は、前記ラインバッファ２３へ前記デジタル画像データが書き込まれる際に、前記原稿読取モードに応じて、その書き込み方向を切り替えるもので、例えば、前記書き込み方向を切り替える方向切替スイッチＳｆ１、Ｓｆ２、Ｓｆ３、Ｓｆ４、Ｓｆ５、Ｓｆ６を備え、前記方向切替スイッチＳｆ１、Ｓｆ２、Ｓｆ３、Ｓｆ４、Ｓｆ５、Ｓｆ６により、前記デジタル画像データの書き込み方向が、前記スルーリード方式のときに、前記画像処理手段２４及び原稿画像識別手段２５による前記デジタル画像データの読み出し方向と同一方向になるように、また、前記フラッドヘッド方式のときに、前記画像処理手段２４及び原稿画像識別手段２５による前記デジタル画像データの読み出し方向と逆方向となるように切り替えるように構成されている。つまり、前記アクセス制御手段３６は、前記画像処理手段２４及び原稿画像識別手段２５が、前記ラインバッファ２３から前記デジタル画像データを読み出す際に、前記原稿読取モードにかかわらず同一のデジタル画像データ配列として前記デジタル画像データを読み出すことが可能なように構成されている。
【００２６】
尚、上述した実施形態は、本発明の一例に過ぎず、本発明の作用効果を奏する範囲において各ブロックの具体的構成等を適宜変更設計できることは言うまでもない。
【図面の簡単な説明】
【００２７】
【図１】画像データ処理手段の説明図
【図２】デジタル複写機の説明図
【図３】画像読取手段の説明図
【図４】ラインバッファの説明図
【図５】ラインバッファへの画像データの書き込み、及び、ラインバッファからの画像データの読み出しを説明するためのタイミングチャート
【図６】画像データ処理手段の動作について説明するためのフローチャート
【図７】別実施形態におけるラインバッファの説明図
【図８】（ａ）フラッドヘッド方式の説明図、（ｂ）スルーリード方式の説明図、（ｃ）原稿画像の読み出し位置の説明図
【符号の説明】
【００２８】
１：デジタル複写機
３：画像読取手段
４：画像データ処理手段
５：画像形成手段
２１：Ａ／Ｄ変換器
２２：入力画像補正手段
２３、３３：ラインバッファ
２４：画像処理手段
２５：原稿画像識別手段
２６、３６：アクセス制御手段
【図１】
2007036917.tif 000003
【図２】
2007036917.tif 000004
【図４】
2007036917.tif 000005
【図５】
2007036917.tif 000006
【図６】
2007036917.tif 000007
【図７】
2007036917.tif 000008
【図８】
2007036917.tif 000009
【図３】
2007036917.tif 000010